(57)【要約】【課題】被充電機器を効率よく充電する。【解決手段】被充電機器２００は、充電池２０７を備え、非接触で充電装置１００によって充電池が充電される。コイル２０１、共振・整流部２０２、切り替えスイッチ２０６、および被充電機器通信部２０４は充電装置から送られた電力を充電池に供給して充電池を充電する。受電制御部２０３は充電装置から送られた電力が供給されて動作し、充電池における充電量を検知する。被充電機器通信部は検知された充電量が予め設定された第１の閾値未満となると、切り替えスイッチ２０６をオンして充電池に充電を開始し、切り替えスイッチ２０５をオフとする。【選択図】図２
2015136219.tif 000002
【特許請求の範囲】
【請求項１】
充電池を備え、非接触で充電装置によって前記充電池が充電される被充電機器であって、
前記充電装置から送られた電力を前記充電池に供給して前記充電池を充電する電力供給手段と、
前記充電装置から送られた電力が供給されて動作し、前記充電池における充電量を検知する検知手段と、
前記検知手段によって検知された充電量が予め設定された第１の閾値未満となると、前記電力供給手段によって前記充電池に充電を開始して、前記検知手段をオフ制御する制御手段と、
を有することを特徴とする被充電機器。
【請求項２】
前記制御手段は、前記充電装置から前記充電池の充電状態を示す充電池状態通知を受けると、前記検知手段をオン制御することを特徴とする請求項１に記載の被充電機器。
【請求項３】
前記充電池状態通知は前記充電池の充電の完了を示す完了通知であり、前記制御手段は前記完了通知を受けると前記充電池の充電を終了することを特徴とする請求項２に記載の被充電機器。
【請求項４】
前記検知手段によって検知された充電量が前記第１の閾値未満となると、前記充電装置に前記充電池の充電量を検知する依頼を検知要求として送信する要求送信手段を有することを特徴とする請求項２又は３に記載の被充電機器。
【請求項５】
前記充電装置は、前記検知要求を受けると、非接触で前記充電池の充電量を測定する測定手段と、
前記測定手段によって測定された充電量が前記第１の閾値よりも大きい第２の閾値となると、前記充電池状態通知を前記被充電機器に送る完了送信手段とを有することを特徴とする請求項４に記載の被充電機器。
【請求項６】
前記充電装置は、前記検知要求を受けると、非接触で前記充電池の充電量を測定する測定手段と、
前記測定手段によって測定された充電量が前記第１の閾値よりも大きい第３の閾値となると、前記充電池状態通知を前記被充電機器に送る完了送信手段とを有し、
前記被充電機器には、前記充電装置から送られた電力が供給されて動作し、前記充電池を充電する受電手段が備えられており、
前記制御手段は、前記充電池状態通知を受けると、前記電力供給手段による充電を停止して前記受電手段を動作させて当該受電手段によって前記充電池の充電を行うことを特徴とする請求項４に記載の被充電機器。
【請求項７】
前記制御手段は、前記受電手段によって定電流充電を行うことを特徴とする請求項６に記載の被充電機器。
【請求項８】
前記制御手段は、前記受電手段によって定電圧充電を行うことを特徴とする請求項６に記載の被充電機器。
【請求項９】
前記制御手段は、前記検知手段によって検知された充電量が前記第３の閾値よりも大きい第２の閾値を超えると、前記受電手段による充電を終了することを特徴とする請求項６〜８のいずれか１項に記載の被充電機器。
【請求項１０】
非接触で充電装置によって充電される充電池と、前記充電装置から送られた電力が供給されて動作し前記充電池における充電量を検知する検知手段とを有する被充電機器の制御方法であって、
前記充電装置から送られた電力を前記充電池に供給して前記充電池を充電する電力供給ステップと、
前記検知手段によって検知された充電量が予め設定された第１の閾値未満となると、前記電力供給ステップで前記充電池に充電を開始して、前記検知手段をオフ制御する制御ステップと、
を有することを特徴とする制御方法。
【請求項１１】
非接触で充電装置によって充電される充電池と、前記充電装置から送られた電力が供給されて動作し前記充電池における充電量を検知する検知手段とを有する被充電機器で用いられる制御プログラムであって、
前記被充電機器が備えるコンピュータに、
前記充電装置から送られた電力を前記充電池に供給して前記充電池を充電する電力供給ステップと、
前記検知手段によって検知された充電量が予め設定された第１の閾値未満となると、前記電力供給ステップで前記充電池に充電を開始して、前記検知手段をオフ制御する制御ステップと、
を実行させることを特徴とする制御プログラム。
【請求項１２】
請求項１〜９のいずれか１項に記載の被充電機器と、
前記被充電機器に非接触で電力を供給する充電装置とを有することを特徴とする非接触充電システム。
【発明の詳細な説明】
【技術分野】
【０００１】
本発明は被充電機器に関し、特に、非接触充電によって被充電機器を充電する際の充電時間を短縮する手法に関する。
【背景技術】
【０００２】
従来、電磁誘導又は磁気共鳴を用いた非接触充電システムが知られている。電磁誘導を用いた非接触充電システムでは、充電部（つまり、被接触充電装置）側に備えられたコイルを１次コイルとし、当該１次コイルに掛ける電圧を励振させる。そして、被充電機器側のコイルを２次コイルとして、当該２次コイル磁束を変化させる。この磁束の変化によって２次コイルに発生する起電力を利用して被充電機器に充電を行う。
【０００３】
磁気共鳴を用いた非接触充電システムにおいて充電を行う際においても、上述のように充電部側に１次コイルを備え、被充電機器側に２次コイルを備えて、予め設定されている周波数で共鳴および励振させて被充電機器の充電を行う。そして、磁気共鳴を用いた非接触充電システムは、電磁誘導を用いた非接触充電システムに比べて、被充電機器との距離が離れていても充電を行うことができる。
【０００４】
ところで、これらの非接触充電システムにおいては、被充電機器に備えられた充電池の充電量をチェックして、十分な充電量になってところで充電を止める必要がある。
【０００５】
被充電機器の充電を停止するため、例えば、被充電機器に充電池の残量を検知する手段を備えて、被充電機器における残量の判定および充電停止の判定などを行うようにした非接触充電システムがある（特許文献１参照）。
【先行技術文献】
【特許文献】
【０００６】
【特許文献１】特開平６−３３９２３２号公報
【発明の概要】
【発明が解決しようとする課題】
【０００７】
ところが、上述の特許文献１においては、被充電機器において充電池の残量検知を行うので、当該残量検知に係る処理のため被充電機器において電力が消費される結果、充電の際に充電池を充電するための電力が削減されてしまう。
【０００８】
非接触充電システムにおいては、限られた充電エネルギーを有効に使う必要があり、加えて、非接触充電装置と被充電機器との位置関係によって充電エネルギーの受電効率が低下することを考慮すると、できる限り被充電機器における充電以外の処理を少なくすることが望ましい。
【０００９】
そこで、本発明は、被充電機器において充電以外の処理による電力消費を低減させることによって、被充電機器への非接触充電にかかる充電時間を短縮させることを目的とする。
【課題を解決するための手段】
【００１０】
上記の目的を達成するため、本発明による被充電機器は、充電池を備え、非接触で充電装置によって前記充電池が充電される被充電機器であって、前記充電装置から送られた電力を前記充電池に供給して前記充電池を充電する電力供給手段と、前記充電装置から送られた電力が供給されて動作し、前記充電池における充電量を検知する検知手段と、前記検知手段によって検知された充電量が予め設定された第１の閾値未満となると、前記電力供給手段によって前記充電池に充電を開始して、前記検知手段をオフ制御する制御手段と、を有することを特徴とする。
【発明の効果】
【００１１】
本発明によれば、被充電機器において充電以外の処理による電力消費を低減させることによって、被充電機器への非接触充電にかかる充電時間を短縮させることができる。
【図面の簡単な説明】
【００１２】
【図１】本発明の実施形態による非接触充電システムの一例についてその外観を概略的に示す斜視図である。
【図２】図１に示す充電器および被充電機器の構成についてその一例を示すブロック図である。
【図３】図２に示す非接触充電システムにおいて被充電機器の動作を説明するためのフローチャートである。
【図４】図２に示す非接触充電システムで用いられる第１の閾値および第２の閾値と充電量との関係を示す図である。
【図５】図２に示す非接触充電システムにおいて非接触充電器の動作を説明するためのフローチャートである。
【図６】本発明の第２の実施形態による非接触充電システムにおいて被充電機器の動作を説明するためのフローチャートである。
【図７】本発明の第２の実施形態による非接触充電システムで用いられる第１〜第３の閾値と充電量との関係を示す図である。
【発明を実施するための形態】
【００１３】
以下、本発明の実施の形態による非接触充電システムの一例について図面を参照して説明する。
【００１４】
図１は、本発明の実施形態による非接触充電システムの一例についてその外観を概略的に示す斜視図である。
【００１５】
図示の非接触充電システムは、非接触充電装置（以下充電器と呼ぶ）１００および被充電機器２００を有している。図示の例では、被充電機器２００は、例えば、デジタルカメラなどの撮像装置であり、ここでは、非接触状態で充電器１００から被充電機器２００に対して充電が行われている。
【００１６】
図２は、図１に示す充電器１００および被充電機器２００の構成についてその一例を示すブロック図である。
【００１７】
図示の充電器１００は、送電コイル１０１（つまり、１次コイル）、整流部１０３、ＤＣ／ＤＣコンバータ１０４、充電制御部１０５、送電コイル励振部１０６、充電操作部１０７、表示部１０８、コイル負荷検知部１０９、および充電器通信部１１０を有している。そして、整流部１０３は商用電源１０２に接続される。
【００１８】
被充電機器２００は、受電コイル２０１（つまり、２次コイル）、共振・整流部２０２、受電制御部２０３、被充電機器通信部２０４、切り替えスイッチ２０５および２０６、および充電池２０７を備えている。
【００１９】
商用電源１０２の交流電圧は、整流部１０３によって整流および平滑化され直流電圧に変換される。そして、この直流電圧はＤＣ／ＤＣコンバータ１０４に与えられる。ＤＣ／ＤＣコンバータ１０４は、直流電圧を所定レベルの電圧（所定電圧と呼ぶ）に変換して充電制御部１０５に印加する。
【００２０】
充電制御部１０５は、マイコンおよびメモリを備える制御部であって、ＤＣ／ＤＣコンバータからの所定電圧を送電コイル励振部１０６に出力するか否かを判定する。所定電圧を出力する際には、充電制御部１０５は送電コイル励振部１０６を制御するためのスイッチ（図示せず）をオン（オン制御）して所定電圧を出力する。
【００２１】
送電コイル励振部１０６は充電制御部１０５を介してＤＣ／ＤＣコンバータ１０４からの所定電圧を受けて、この所定電圧によって送電コイル１０１を励振する。これによって、送電コイル１０１から被充電機器２００に電磁波が送信される。つまり、送電コイル１０１から非接触で被充電機器２００に電力が伝送される。
【００２２】
充電操作部１０７は、充電器１００の出力および表示部（例えば、ＬＣＤパネル）１０８の操作など充電器１００の操作を行うためのものである。そして、表示部１０８には被充電機器２００の移動をユーザに指示する際などユーザに対する指示が表示される。
【００２３】
コイル負荷検知部１０９は、コイル１０１および２０１を介して充電池２０７の負荷を検知して、充電池２０７の充電量を測定する。なお、充電池２０７の充電量は、充電池２０７の残量と言い換えても良いものとする。充電器通信部１１０は、充電制御部１０５の制御下で、コイル１０１および２０１を介して被充電機器２００と通信を行う。通信の際には、充電器通信部１１０は非接触充電の際に用いる周波数と異なる周波数でコイル１０１を励振して、当該励振信号に通信情報を重畳して被充電機器２００と通信を行う。
【００２４】
なお、充電器通信部１１０は、送信のみではなく受信側となって、被充電機器２０４から通信情報をコイル２０１および１０１を介して受信する。
【００２５】
被充電機器２００には、コイル２０１によって受信した電磁波に応じた起電力が発生する。コイル２０１は共振・整流部２０２に接続されており、共振・整流部２０２は予め定められた特定の周波数の電磁波にのみに反応して起電力を発生する。そして、共振・整理流部２０２は、当該起電力を整流・平滑化して、平滑化電力として出力する。
【００２６】
この平滑化電力は切り替えスイッチ２０５および２０６の状態に応じて、直接充電池２０７に供給されるか又は充電制御部２０３を介して充電池２０７に供給される。
【００２７】
受電制御部２０３は、充電池２０７に接続されており、充電池２０７の充電量を測定するとともに、共振・整流部２０２の出力である平滑化電力を制御して充電池２０７に供給する。被充電機器通信部２０４は、コイル２０１および１０１を介して充電器１００と通信することができる。被充電機器通信部２０４は、特定の通信周波数による励振信号のみを検知して、当該励振信号を解析して、励振信号に重畳された通信情報を得る。
【００２８】
なお、被充電機器通信部２０４は、自らコイル２０１を励振して、充電器１００に対して通信情報を送ることができる。
【００２９】
切り替えスイッチ２０５および２０６は被充電機器通信部２０４によって制御される。つまり、被充電機器通信部２０４は充電器１００から送られた通信情報に応じて切り替えスイッチ２０５および２０６を制御する。ここでは、被充電機器通信部２０４は充電池２０７を共振・整流部２０２の出力によって直接充電するか又は受電制御部２０３を介して充電を行うかを切り替える。なお、充電池２０７は、例えば、リチウムイオン電池又はリチウム水素電池などの２次電池である。
【００３０】
図３は、図２に示す非接触充電システムにおいて被充電機器の動作を説明するためのフローチャートである。なお、図示のフローチャートに係る処理は、受電制御部２０３の制御下で行われる。
【００３１】
ここでは、充電器１００は送電を既に開始しているものとする。つまり、充電器１００は充電用の電磁波（電波）を既に送電しているものとする。なお、この状態を充電器１００が定常状態にあるという。
【００３２】
充電器１００が定常状態にある際、被充電機器２００が充電器１００の上に載置されるか又は近づけられる（ステップＳ３０１）。この際には、被充電機器２００においては、切り替えスイッチ２０５がオン状態であり、切り替えスイッチ２０６はオフ状態である。この結果、被充電機器２００においてはコイル２０１を介して電力を受電して、切り替えスイッチ２０５を介して電力（平滑化電力）が受電制御部２０３に与えられる。
【００３３】
これによって、受電制御部２０３が動作して、受電制御部２０３は充電池２０７の充電量を検知する（ステップＳ３０２）。充電量の検知結果に基づいて、受電制御部２０３は充電池２０７の充電量が予め設定された第１の閾値（閾値１）よりも少ないか否かを判定する（ステップＳ３０３）。
【００３４】
充電量が閾値１以上であると（ステップＳ３０３において、ＮＯ）、充電制御部２０３はステップＳ３０２の処理に戻って充電量の検知を継続する。一方、充電量が閾値１未満であると（ステップＳ３０３において、ＹＥＳ）、受電制御部２０３は被充電機器通信部２０４によって充電器１００に、充電池２０７の充電量の検知を依頼するための充電量検知要求を行う（ステップＳ３０４）。
【００３５】
ステップＳ３０４の処理の後、受電制御部２０３の制御下で、被充電機器通信部２０４は切り替えスイッチ２０５をオフとし（オフ制御して）、切り替えスイッチ２０６をオンとする（ステップＳ３０５）。つまり、受電制御部２０３がオフとされて、切り替えスイッチ２０６を介して共振・整流部２０２から平滑化電力が充電池２０７に送られて充電池２０７の充電が行われる。
【００３６】
続いて、被充電機器通信部２０４は、充電器１００から充電量が所定の第２の閾値（閾値２）を超えている旨の通知（以下第２の閾値超通知と呼ぶ）を受けたか否かを判定する（ステップＳ３０６）。なお、この第２の閾値超通知は充電池２０７の充電状態を示す充電池状態通知であり、例えば、充電池２０７の充電完了を示す完了通知である。
【００３７】
図４は、図２に示す非接触充電システムで用いられる第１の閾値および第２の閾値と充電量との関係を示す図である。
【００３８】
図４に示すように、第１の閾値（閾値１）は充電を開始する際の充電量よりも高く設定されており、第２の閾値（閾値２）は充電終了の際の充電量に設定される。そして、閾値２＞閾値１である。
【００３９】
第２の閾値超通知を受けないと（ステップＳ３０６において、ＮＯ）、被充電機器通信部２０４はステップＳ３０６の処理を継続する。一方、第２の閾値超通知を受けると（ステップＳ３０６において、ＹＥＳ）、被充電機器通信部２０４は切り替えスイッチ２０６をオフとするとともに、切り替えスイッチ２０５をオンとして、受電制御部２０３を動作（オン）させて受電を終了する（ステップＳ３０７）。その後、処理はステップＳ３０３に戻って、受電制御部２０３は充電池２０７に対する充電を行うことなく、充電池２０７の充電量の検知を行う。
【００４０】
このようにして、被充電機器２００は、充電器１００から取り除かれない限り、ステップＳ３０２およびＳ３０３の処理を行うことになる。そして、自然放電又は他の理由によって充電池２０７の充電量が閾値１未満となると、ステップＳ３０４以下の処理を行うことになる。
【００４１】
図５は、図２に示す非接触充電システムにおいて非接触充電器の動作を説明するためのフローチャートである。なお、図示のフローチャートに係る処理は、充電制御部１０５の制御下で行われる。
【００４２】
図３のステップＳ３０４で説明したように、充電量が閾値１未満であると、受電制御部２０３は、被充電機器通信部２０４によって充電器１００に充電量検知要求を行う（ステップＳ３０４）。充電器１００において、充電器通信部１１０は、充電制御部１０５の制御下で被充電機器２００から充電量検知要求を受けたか否かを監視する（ステップＳ５０１）。
【００４３】
被充電機器２００から充電量検知要求を受けないと（ステップＳ５０１において、ＮＯ）、充電器通信部１１０はステップＳ５０１の処理を継続する。一方、被充電機器２００から充電量検知要求を受けると（ステップＳ５０１において、ＹＥＳ）、充電器通信部１１０はその旨を充電制御部１０５に通知する。これによって、充電制御部１０５は、コイル負荷検知部１０９によってコイル１０１および２０１を介して充電池２０７の負荷を検知し、充電池２０７の充電量を測定する（ステップＳ５０２）。
【００４４】
続いて、充電制御部１０５は、コイル負荷検知部１０９によって検知された充電量が前述の第２の閾値（閾値２）を超えるか否かを判定する（ステップＳ５０３）。コイル負荷検知部１０９によって検知された充電量が閾値２以下であると（ステップＳ５０３において、ＮＯ）、充電制御部１０５は、ステップＳ５０２の処理に戻ってコイル負荷検知部１０９によって充電池２０７の充電量を検知する。
【００４５】
一方、コイル負荷検知部１０９によって検知された充電量が閾値２を超えると（ステップＳ５０３において、ＹＥＳ）、充電制御部１０５は充電器通信部１１０によって第２の閾値超通知（つまり、充電量＞閾値２である旨の通知）を、被充電機器２００に行う（ステップＳ５０４）。そして、充電制御部１０５はステップＳ５０１の処理に戻る。
【００４６】
このように、本発明の第１の実施形態では、充電池２０７の充電量が第１の閾値未満となると、充電器１００に充電量検知要求を行って、受電制御部２０３をオフとする。そして、充電池２０７に対する充電を行って、充電器１００から充電量が第２の閾値を超えた旨の通知があると、受電制御部２０３をオンとして充電を終了する。これによって、被充電機器２００において充電の際には受電制御部２０３で消費される電力を低減できる結果、充電池２０７に多くの電力を供給して充電時間の短縮を図ることができる。
【００４７】
［第２の実施形態］
次に、本発明の第２の実施形態による非接触充電システムの一例について説明する。
【００４８】
なお、第２の実施形態に係る非接触充電システムの構成は、図２に示す非接触充電システムと同様であるので説明を省略する。
【００４９】
図６は、本発明の第２の実施形態による非接触充電システムにおいて被充電機器の動作を説明するためのフローチャートである。
【００５０】
なお、図示のフローチャートに係る処理は、受電制御部２０３の制御下で行われる。また、図６において、図３に示すフローチャートのステップと同一のステップについては同一の参照符号を付して説明を省略する。
【００５１】
図３で説明したように、充電量＜閾値１であると、ステップＳ３０４において、被充電機器２００から充電器１００に対して充電量検知要求が行われて、ステップＳ３０５において、受電制御部２０３がオフとされて充電池２０７の充電が開始される。そして、この充電量検知通知に応答して、充電器１００では、図５で説明したようにして、充電池２０７の充電量を測定する。
【００５２】
図示はしないが、第２の実施形態において、充電器１００では、充電池２０７の充電量を測定する際、第２の閾値（閾値３）の代わりに、第３の閾値（閾値３）を用いて、充電量＞閾値３となると、充電量＞閾値３となった旨を示す通知（第３の閾値超通知）を被充電機器２００に行う。
【００５３】
図７は、本発明の第２の実施形態による非接触充電システムで用いられる第１〜第３の閾値と充電量との関係を示す図である。
【００５４】
図７に示すように、第３の閾値（閾値３）は精密充電、つまり、定電流充電を開始する充電量に設定されており、閾値２＞閾値３＞閾値１である。
【００５５】
被充電機器２００において、被充電機器通信部２０４は第３の閾値超通知（充電量＞閾値３となった旨を示す通知）を受けたか否かを監視する（ステップＳ６０１）。充電器１００から第３の閾値超通知を受けないと（ステップＳ６０１において、ＮＯ）、被充電機器通信部２０４はステップＳ６０１の処理を継続する。
【００５６】
一方、被充電機器通信部２０４は充電器１００から第３の閾値超通知を受けると（ステップＳ６０１において、ＮＯ）、被充電機器通信部２０４は切り替えスイッチ２０５をオンとするとともに、切り替えスイッチ２０６をオフとして受電制御部２０３を動作させる。これによって、受電制御部２０３は、充電池２０７の充電量を検知する充電量検知動作と充電池２０７を定電流で充電する定電流充電動作を開始する（ステップＳ６０２）。
【００５７】
受電制御部２０３は充電池２０７の充電量を検知して（ステップＳ６０３）、当該充電量が第２の閾値（閾値２）を超えるか否かを判定する（ステップＳ６０４）。充電量が閾値２以下であると（ステップＳ６０４において、ＮＯ）、受電制御部２０３はステップＳ６０４の処理に戻って充電池２０７の充電量の測定を継続する。
【００５８】
充電量が閾値２を超えると（ステップＳ６０４において、ＹＥＳ）、受電制御部２０３は定電流充電動作を終了する（ステップＳ６０５）。そして、受電制御部２０３はステップＳ３０２の処理に戻る。
【００５９】
このように、本発明の第２の実施形態では、充電池２０７の充電量が第３の閾値を超えると、被充電機器２００において充電量を監視しつつ充電量定電流充電を行うようにしたので、充電池２０７の充電を最適制御することができる。
【００６０】
さらに、第２の実施形態においては、充電量が第３の閾値を超えるまで受電制御部２０３がオフされるので、受電制御部２０３で消費される電力を低減できる結果、充電池２０７に多くの電力を供給して充電時間の短縮を図ることができる。
【００６１】
なお、上述の第１および第２の実施形態では、充電器１００と被充電機器２００とが通信を行う際には、コイル１０１および２０１を用いて通信を行うようにしたが、別の通信手段を用いるようにしてもよい。
【００６２】
さらに、第１および第２の実施形態では、充電動作中又は充電動作中の一部について必ず受電制御部２０３の動作を停止して電力削減を図るようにしたが、充電器１００から被充電機器２００に送られる電波の強度が十分である場合には、受電制御部２０３の動作を停止しなくてもよい。例えば、被充電機器２００においてまず電波強度が所定の電波強度閾値を超えるか否かを判定して、電波強度が電波強度閾値を超える際には、受電制御部２０３の動作を停止することなく充電を行うようにしてもよい。
【００６３】
また、第１および第２の実施形態では、受電制御部２０３によって充電池２０７の充電量を検知して、当該検知結果に応じて充電開始するようにしたが、充電池２０７の充電開始の判定については別の手段で行うようにしてもよい。
【００６４】
加えて、第２の実施形態では、充電量が第３の閾値を超えると定電流充電を行うようにしたが、例えば、定電圧充電を行うようにしてもよい。
【００６５】
また、第１および第２の実施形態では、被充電機器としてデジタルカメラなどの撮像装置を例に挙げたが、撮像装置に限らず、充電池を備えて、非接触で充電装置から充電される電子機器であれば同様にして適用することができる。
【００６６】
上述の説明から明らかなように、図２に示す例では、コイル２０１、共振・整流部２０２、被充電機器通信部２０４、および切り替えスイッチ２０６が電力供給手段として機能する。また、受電制御部２０３は、検知手段および受電手段として機能し、受電制御部２０３および被充電機器通信部２０４は制御手段として機能する。さらに、被充電機器通信部２０４およびコイル２０１は、要求送信手段として機能する。加えて、充電制御部１０５およびコイル負荷検知部１０９は測定手段として機能し、充電制御部１０５、充電器通信部１１０、およびコイル１０１は完了送信手段として機能する。
【００６７】
以上、本発明について実施の形態に基づいて説明したが、本発明は、これらの実施の形態に限定されるものではなく、この発明の要旨を逸脱しない範囲の様々な形態も本発明に含まれる。
【００６８】
例えば、上記の実施の形態の機能を制御方法として、この制御方法を被充電機器に実行させるようにすればよい。また、上述の実施の形態の機能を有するプログラムを制御プログラムとして、当該制御プログラムを被充電機器が備えるコンピュータに実行させるようにしてもよい。なお、制御プログラムは、例えば、コンピュータに読み取り可能な記録媒体に記録される。
【００６９】
上記の制御方法および制御プログラムの各々は、少なくとも電力供給ステップおよび制御ステップを有している。
【００７０】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００７１】
１００  非接触充電装置（非接触充電器）
１０５  充電制御部
１０６  送電コイル励振部
１０９  コイル負荷検知部
１１０  充電器通信部
２００  被充電機器
２０３  受電制御部
２０４  被充電器通信部
２０５，２０６  切り替えスイッチ
２０７  充電池
【図１】
2015136219.tif 000003
【図２】
2015136219.tif 000004
【図３】
2015136219.tif 000005
【図４】
2015136219.tif 000006
【図５】
2015136219.tif 000007
【図６】
2015136219.tif 000008
【図７】
2015136219.tif 000009